(57)【要約】【課題】繊維を非常に短時間で効率的に、高密度、かつ、高精度に３次元配列することが可能な繊維配列用装置を提供する。【解決手段】繊維１を３次元配列するための繊維配列用装置１０であって、繊維１を巻き取る繊維巻取手段１１と、前記繊維巻取手段１１に対して前記繊維１を供給する繊維供給手段１２とを具備し、前記繊維供給手段１２は、前記繊維巻取手段１１に対して相対移動しながら繊維を供給する可動ガイド１６を備え、前記繊維巻取手段１１は、軸１９ａを中心として回転しながら周上に繊維１を巻き取る繊維巻取用ボビン１９と、該繊維巻取用ボビン１９の周上の複数の所定位置にそれぞれ複数積層され、各外面上に前記繊維１が配列される繊維配列用平板とを有している繊維配列用装置１０。【選択図】  図１
2004286667.tif 000002
【特許請求の範囲】
【請求項１】
繊維を３次元配列するための繊維配列用装置であって、
繊維を巻き取る繊維巻取手段と、
前記繊維巻取手段に対して前記繊維を供給する繊維供給手段とを具備し、
前記繊維供給手段は、前記繊維巻取手段に対して相対移動しながら繊維を供給する可動ガイドを備え、
前記繊維巻取手段は、回転しながら周上に繊維を巻き取る繊維巻取用ボビンと、該繊維巻取用ボビンの周上の複数の所定位置にそれぞれ複数積層され、各外面上に前記繊維が配列される繊維配列用平板とを有していることを特徴とする繊維配列用装置。
【請求項２】
前記繊維配列用平板は、その外面に、繊維が１本ずつ配列されるための複数の凹条が互いに略平行に形成されているとともに、前記凹条が前記繊維巻取用ボビンの回転軸に対して垂直となるように前記周上に積層されることを特徴とする請求項１に記載の繊維配列用装置。
【請求項３】
前記複数の所定位置における各積層物のうち、少なくとも１つの積層物を構成する前記繊維配列用平板の外面上に配列される繊維の配列ピッチが、他の積層物を構成する前記繊維配列用平板の外面上に配列される繊維の配列ピッチとは異なるようにされていることを特徴とする請求項１または２に記載の繊維配列用装置。
【請求項４】
前記繊維配列用平板には少なくとも２つの位置決め用貫通穴が形成され、前記繊維巻取用ボビンの周上には前記各位置決め用貫通穴に挿通する支柱が設けられていることを特徴とする請求項１ないし３のいずれかに記載の繊維配列用装置。
【請求項５】
請求項１ないし４のいずれかに記載の繊維配列用装置を用いて、繊維を３次元配列する繊維配列方法であって、
前記複数の所定位置に、それぞれ１枚の繊維配列用平板を配置する第１工程と、
前記繊維巻取用ボビンを所定回数だけ回転させるとともに、前記可動ガイドを動かしながら繊維を供給して、配置された前記繊維配列用平板上に前記繊維を配列していく第２工程と、
繊維が配列された前記各繊維配列用平板上に、他の繊維配列用平板をそれぞれ積層する第３工程とを有し、
前記第２工程と第３工程とを、複数回繰り返すことを特徴とする繊維配列方法。
【請求項６】
前記繊維は、合成繊維、半合成繊維、再生繊維、無機繊維、天然繊維からなる群から選ばれる少なくとも１つであることを特徴とする請求項５に記載の繊維配列方法。
【請求項７】
請求項５または６のいずれかに記載の繊維配列方法で３次元配列された前記繊維を固定することを特徴とする繊維配列体の製造方法。
【請求項８】
前記繊維間に硬化性樹脂を充填、硬化させ、固定することを特徴とする請求項７に記載の繊維配列体の製造方法。
【請求項９】
前記繊維には、生体関連物質があらかじめ固定化されていることを特徴とする請求項７または８に記載の繊維配列体の製造方法。
【請求項１０】
固定された前記繊維に生体関連物質を固定化することを特徴とする請求項７または８に記載の繊維配列体の製造方法。
【請求項１１】
請求項９または１０に記載された方法で製造された繊維配列体を、繊維と交差する方向にスライスして、薄片化することを特徴とする生体関連物質固定化マイクロアレイの製造方法。
【請求項１２】
繊維巻取用ボビンと、その周上の複数の所定位置にそれぞれ２枚以上積層された繊維配列用平板からなる積層物とを有する繊維巻取手段と、
各繊維配列用平板の外面上に配列、巻回された繊維とを有することを特徴とする繊維巻回物。
【請求項１３】
前記複数の所定位置の各積層物のうち、少なくとも１つの積層物を構成する前記繊維配列用平板の外面上に配列された繊維の配列ピッチが、他の積層物を構成する前記繊維配列用平板の外面上に配列された繊維の配列ピッチとは異なることを特徴とする請求項１２に記載の繊維巻回物。
【発明の詳細な説明】
【０００１】
【発明の属する技術分野】
本発明は、複数本の繊維を３次元配列するための繊維配列用装置、これを用いた繊維配列方法、この方法で繊維を配列して得られた繊維巻回物および繊維配列体に関する。さらにはこの繊維配列体から、特定の生体関連物質の検査、検出などに使用される生体関連物質固定化マイクロアレイを製造する方法に関する。
【０００２】
【従来の技術】
多数遺伝子の一括発現解析を行う方法として、ＤＮＡマイクロアレイ法（またはＤＮＡチップ法という。）と呼ばれる分析法がある。
この方法は、マイクロアレイまたはチップと呼ばれる平面基板片上に、多数のＤＮＡ断片が高密度に整列しつつ固定化されたもの（以下、ＤＮＡチップという。）を用い、個々の固定化されたＤＮＡ断片において、核酸−核酸間ハイブリダイゼーション反応に基づく核酸検出・定量化を行う方法である。
この方法は、反応試料を微量化するとともに、多種の反応試料を再現性よく迅速・系統的に分析、定量可能な形とする技術であると理解され、注目されている。
【０００３】
ＤＮＡマイクロアレイ法の具体的方法としては、例えば、研究対象である細胞の発現遺伝子などを蛍光色素などで標識したものをサンプルとし、このサンプルをＤＮＡチップ上でハイブリダイゼーションさせることにより互いに相補的な核酸（ＤＮＡあるいはＲＮＡ）同士を結合させ、その箇所を蛍光色素などでラベル後、高解像度解析装置で高速に読みとる方法などが挙げられる。
このような方法によれば、サンプル中のそれぞれの遺伝子量を迅速に推定できる。
【０００４】
核酸などの生体関連物質をチップ上に固定化するための技術としては、例えば特許文献１に記載されているように、生体関連物質の固定化担体として繊維を用いる方法がある。
この方法では、固定化担体である繊維が複数本、整然と３次元に配列された繊維配列体をまず作製し、この繊維配列体をスライスして薄片化することにより、繊維が高密度で配列した薄片状のチップを得ている。そして、ここでは、複数本の繊維が整然と配列された繊維配列体を製造するために、目的の配列パターンと同一パターンの孔を有する複数個の治具同士を使用している。
【０００５】
具体的には、まず、これらの治具を、孔位置を揃えて相接するように配置しておき、それらの治具の同一位置関係にある孔に、生体関連物質の固定化担体である繊維をそれぞれ貫通させる。ついで、治具同士の間隔を拡げ、治具同士の間において３次元に配列した各繊維に張力を付与して整列させてから、これらの繊維間に硬化性の樹脂を充填、硬化させて繊維を固定する。
そして、このようにして樹脂で固定されたもの、すなわち繊維配列体を、繊維の長さ方向に対して略垂直にスライスすることにより、薄片状の生体関連物質固定化マイクロアレイが得られる。なお、ここで繊維には、あらかじめ生体関連物質を固定化しておいてもよいし、スライスの前に繊維に対して生体関連物質の固定化処理を行ってもよい。
このような方法によれば、同一の配列の生体関連物質固定化マイクロアレイを一度に多数枚製造することができる。
【０００６】
一方、このような生体関連物質固定化マイクロアレイには、単位面積当たりの繊維数が多いこと、すなわち、単位面積当たりの固定された生体関連物質の種類が多いことが求められている。繊維数を多くするためには、繊維と繊維との配列ピッチを小さくする必要がある。また、そのためには、繊維自体を細くし、かつ、繊維を挿入する治具の孔径も小さくすることが要求される。
【０００７】
【特許文献１】
特開２００１−２３９５９４号公報
【０００８】
【発明が解決しようとする課題】
しかしながら、特許文献１に開示されている方法においては、上述したように、多数の孔が形成された複数個の治具を使用し、各孔に１本ずつ繊維を挿入して貫通させる必要があるため、配列ピッチ、孔径、繊維外径を小さくすると次のような問題が発生した。
すなわち、孔に挿入する繊維を孔まで導く過程や、挿入する際などには、通常、微細なピンセットやノズルを利用して繊維を移動させるが、その際に、既に挿入されている隣接した孔における繊維が、ピンセットやノズルの動きの邪魔になることがあった。このような傾向は、特に配列ピッチ、孔径、繊維外径を小さくした場合に顕著となる。また、孔径を小さくするために繊維外径を細くすると、繊維の剛性が低下して、孔への挿入が一層困難になるという問題もあった。
また、特許文献１に開示されている方法では、繊維を１本ずつ挿入する作業が必要であり、すべての繊維を配列するためには非常に長時間を要した。
以上のように、繊維を生体関連物質の固定化担体として使用した繊維配列体を製造する従来のプロセスにおいては、繊維を高密度で効率よく配列することが難しく、特に工業的な大量生産を考慮した場合にはこのような非効率性は大きな問題であった。
【０００９】
【課題を解決するための手段】
本発明者らは、上記事情に鑑みて鋭意検討を重ねた結果、生体関連物質の固定化担体として繊維を使用した繊維配列体などを製造する際に、特定の繊維配列用装置を使用することによって、非常に短時間に効率的に、高密度、かつ、高精度に繊維を３次元配列できることを見出し、本発明を完成するに至った。
【００１０】
本発明の繊維配列用装置は、繊維を３次元配列するための繊維配列用装置であって、繊維を巻き取る繊維巻取手段と、前記繊維巻取手段に対して前記繊維を供給する繊維供給手段とを具備し、前記繊維供給手段は、前記繊維巻取手段に対して相対移動しながら繊維を供給する可動ガイドを備え、前記繊維巻取手段は、回転しながら周上に繊維を巻き取る繊維巻取用ボビンと、該繊維巻取用ボビンの周上の複数の所定位置にそれぞれ複数積層され、各外面上に前記繊維が配列される繊維配列用平板とを有していることを特徴とする。
前記繊維配列用平板は、その外面に、繊維が１本ずつ配列されるための複数の凹条が互いに略平行に形成されているとともに、前記凹条が前記繊維巻取用ボビンの軸に対して垂直となるように前記周上に積層されることが好ましい。
前記複数の所定位置における各積層物のうち、少なくとも１つの積層物を構成する前記繊維配列用平板の外面上に配列される繊維の配列ピッチが、他の積層物を構成する前記繊維配列用平板の外面上に配列される繊維の配列ピッチとは異なるようにされていてもよい。
また、前記繊維配列用平板には少なくとも２つの位置決め用貫通穴が形成され、前記周上には前記各位置決め用貫通穴に挿通する支柱が設けられていることが好ましい。
【００１１】
本発明の繊維配列方法は、前記繊維配列用装置を用いて、繊維を３次元配列する繊維配列方法であって、前記複数の所定位置に、それぞれ１枚の繊維配列用平板を配置する第１工程と、前記繊維巻取用ボビンを所定回数だけ回転させるとともに、前記可動ガイドを動かしながら繊維を供給して、配置された前記繊維配列用平板上に前記繊維を配列していく第２工程と、繊維が配列された前記各繊維配列用平板上に、他の繊維配列用平板をそれぞれ積層する第３工程とを有し、前記第２工程と第３工程とを、複数回繰り返すことを特徴とする。
前記繊維は、合成繊維、半合成繊維、再生繊維、無機繊維、天然繊維からなる群から選ばれる少なくとも１つであることが好ましい。
本発明の繊維配列体の製造方法は、前記繊維配列方法で３次元配列された前記繊維を固定することを特徴とする。その際、前記繊維間に硬化性樹脂を充填、硬化させ、固定することが好ましい。
前記繊維には、生体関連物質があらかじめ固定化されていてもよいし、固定された前記繊維に生体関連物質を固定化してもよい。
本発明の生体関連物質固定化マイクロアレイの製造方法は、前記繊維配列体を、繊維と交差する方向にスライスして、薄片化することを特徴とする。
本発明の繊維巻回物は、繊維巻取用ボビンと、その周上の複数の所定位置にそれぞれ２枚以上積層された繊維配列用平板からなる積層物とを有する繊維巻取手段と、各繊維配列用平板の外面上に配列、巻回された繊維とを有することを特徴とする。
前記複数の所定位置の各積層物のうち、少なくとも１つの積層物を構成する前記繊維配列用平板の外面上に配列された繊維の配列ピッチが、他の積層物を構成する前記繊維配列用平板の外面上に配列された繊維の配列ピッチとは異なっていてもよい。
【００１２】
【発明の実施の形態】
以下、本発明を詳細に説明する。
［繊維配列用装置］
図１は本発明の繊維配列用装置１０を使用して、繊維１を３次元配列している様子を示す斜視図である。
この繊維配列用装置１０は、繊維１を巻き取る繊維巻取手段１１と、この繊維巻取手段１１に対して繊維を供給する繊維供給手段１２とを具備し、これらが基台１３に取り付けられて構成されたものである。
この例の繊維供給手段１２は、繊維１が巻き回されている繊維供給用ボビン１４と、繊維１を下流へ送るガイドローラ１５と、詳しくは後述する可動ガイド１６とを備えて構成され、繊維供給用ボビン１４からの繊維１がガイドローラ１５、可動ガイド１６を経て、繊維巻取手段１１に供給されるようになっている。
【００１３】
ここで可動ガイド１６は、図２に拡大して示すように繊維１が挿通するノズル状のものであって、鉛直方向（Ｚ軸方向）と水平方向（Ｘ軸方向）とにそれぞれ移動できるようになっている。
具体的には、図１中符号１７は、断面が長方形の角柱からなり、長さ方向が水平方向となるように、その下面が基台１３上に固定されたＸ軸ステージであって、上面上にはこの面に沿って水平方向に移動するＸ軸移動テーブル１７ａを備えている。また、符号１８は、同じく断面が長方形の角柱からなり、長さ方向が鉛直方向となるように一側面がＸ軸移動テーブル１７ａに固定されたＺ軸ステージであって、この側面と直角をなす一側面には、この面に沿って鉛直方向に移動するＺ軸移動テーブル１８ａが備えられている。可動ガイド１６は、このＺ軸移動テーブル１８ａに固定されているために、Ｚ軸移動テーブル１８ａの動きに同伴して鉛直方向および水平方向に移動自在であり、このように移動しながら繊維巻取手段１１に対して繊維１を供給することができる。
なお、可動ガイド１６が移動可能な水平方向とは、符号１９で示す後述の繊維巻取用ボビンの軸１９ａと平行方向である。
【００１４】
また、可動ガイド１６には、可動ガイド１６の移動を制御する図示略の制御手段が備えられ、可動ガイド１６が移動するタイミング、方向、距離を任意にコントロールできるようになっている。
例えば、繊維巻取用ボビン１９が１回転するごとに、可動ガイド１６をどの方向にどれだけ移動させるかを、作業者があらかじめ操作盤２０から制御手段に入力しておく。一方、繊維巻取用ボビン１９には、ロータリエンコーダなどの回転角検出機構を備えたモータを接続しておき、繊維巻取用ボビン１９が１回転するごとに、制御手段に信号が送られるようにしておく。このようにすることによって、可動ガイド１６は、制御手段からの命令に沿って繊維巻取用ボビン１９の回転に連動して移動する。
【００１５】
ノズル状の可動ガイド１６の内径は、繊維１の外径よりも１０〜８０％、好ましくは３０〜５０％大きく形成されていることが好ましい。ノズル状の可動ガイド１６の外径は、その内径よりも４０〜１５０％、好ましくは７０〜１００％大きく形成されていることが好ましい。また、ノズル状の部分の長さは、外径の５〜３０倍、好ましくは１０〜２０倍とされていることがよい。また、ノズル状の可動ガイド１６の材質は、ステンレスであることが好ましい。
【００１６】
この例の繊維配列用装置１０が備える繊維巻取手段１１は、軸１９ａを中心として回転しながら周上に繊維１を巻き取るための繊維巻取用ボビン１９と、この繊維巻取用ボビン１９の周上の、複数の所定位置にそれぞれ２枚以上積層され、外面上に繊維１が配列される繊維配列用平板とを有して構成されている。
【００１７】
繊維巻取用ボビン１９は、図３（ａ）および（ｂ）にも示すように、六角柱からなり、軸方向が水平方向となるように基台１３に取り付けられ、軸１９ａを中心として回転するようになっている。
六角柱の６つの各側面には４本ずつ面に対して垂直に支柱２１ａ，２１ｂが設けられていて、繊維巻取用ボビン１９全体としては、合計２４本の支柱２１ａ，２１ｂを有している。特にこの例の支柱２１ａ，２１ｂは、各側面において、隣接する側面との境界辺の近傍に２本１組で設けられていて、２本の距離が狭い組（ピッチＤ１）と、広い組（ピッチＤ２）とがある。以下、ピッチＤ１で設けられた支柱を精密ピッチ用支柱２１ａといい、ピッチＤ２で設けられた支柱を拡幅ピッチ用支柱２１ｂという。この例では、精密ピッチ用支柱２１ａおよび拡幅ピッチ用支柱２１ｂはいずれも６組ずつとなっている。
【００１８】
また、この例の繊維配列用装置１０は、繊維配列用平板２２ａ，２２ｂとして図４（ａ）および（ｂ）に示す２種のものをそれぞれ６０枚ずつ、合計１２０枚備えている。
図４（ａ）の繊維配列用平板（以下、精密ピッチ用平板という。）２２ａは、繊維１が１本ずつ配列される１０本の同形の凹条２３ａが、互いに略平行に、一方の面上に形成された矩形のものである。図４（ｂ）の繊維配列用平板（以下、拡幅ピッチ用平板という。）２２ｂも、精密ピッチ用平板２２ａと同様に１０本の凹条２３ｂが互いに略平行に一方の面上に形成された矩形のものであるが、精密ピッチ用平板２２ａに比べて、特に凹条同士の距離（ピッチ）と、平板の厚みとが大きくなるように形成されている。
また、この例では、精密ピッチ用平板２２ａの方が、拡幅ピッチ用平板２２ｂに比べて、長さ（凹条に沿う方向）は長く幅は小さくされている。さらに、精密ピッチ用平板２２ａでは、形成された凹条２３ａの幅および深さは、繊維１の外径よりも５％程大きく形成され、拡幅ピッチ用平板２２ｂでは、形成された凹条２３ｂの幅および深さは、繊維１の外径よりも５〜２０％程大きく形成され、精密ピッチ用平板２２ａにおいては、より正確に繊維１を配列できるようにされている。
【００１９】
この例の精密ピッチ用平板２２ａは、厚さ０．４２ｍｍであって、幅１０ｍｍ×長さ４０ｍｍの矩形平板の一方の面上に、幅０．３ｍｍ、深さ０．３ｍｍの１０本の凹条２３ａが、矩形平板の長さ方向に沿って、０．４２ｍｍピッチ（距離）で形成されている。また、この例の拡幅ピッチ用平板２２ｂは、厚さ４．５ｍｍであって、幅８ｍｍ×長さ１７０ｍｍの矩形平板の一方の面上に、幅０．５ｍｍ、深さ２ｍｍの１０本の凹条２３ｂが、矩形平板の長さ方向に沿って、４．５ｍｍピッチで形成されている。
【００２０】
また、これら繊維配列用平板２２ａ，２２ｂの両側端近傍には、符号２４ａ，２４ｂで示す円形の位置決め用貫通穴が１つずつ形成されていて、精密ピッチ用平板２２ａにおける２個の位置決め用貫通穴２４ａ同士のピッチＤ３は、精密ピッチ用支柱２１ａ同士のピッチＤ１と同じに形成されている。一方、拡幅ピッチ用平板２２ｂにおける２個の位置決め用貫通穴２４ｂ同士のピッチＤ４は、拡幅ピッチ用支柱２１ｂ同士のピッチＤ２と同じに形成されている。さらに、各支柱２１ａ，２１ｂの外径は、各位置決め用貫通穴２４ａ，２４ｂの内径よりもクリアランス程度小さく形成されている。
【００２１】
よって、精密ピッチ用平板２２ａの位置決め用貫通穴２４ａと精密ピッチ用支柱２１ａとを嵌合させ、拡幅ピッチ用平板２２ｂの位置決め用貫通穴２４ｂと拡幅ピッチ用支柱２１ｂとを嵌合させることによって、図５に示すように、これら繊維配列用平板２２ａ，２２ｂを、繊維巻取用ボビン１９の周上の複数の所定位置にそれぞれ正確に配置でき、さらに、他の繊維配列用平板２２ａ，２２ｂとを、こうしてすでに配置された各繊維配列用平板２２ａ，２２ｂ上にそれぞれ重ねていき、積層することができる。こうして積層された精密ピッチ用平板２２ａの積層物２５においては、詳しくは後述するが、繊維１は小さな配列ピッチで配列され、一方、拡幅ピッチ用平板２２ｂの積層物２６においては、繊維１は精密ピッチ用平板２２ａの積層物２５よりも大きな配列ピッチで配列されることとなる。
なお、これら繊維配列用平板２２ａ，２２ｂを繊維巻取用ボビン１９の周上に配置、積層する場合には、凹条２３ａ，２３ｂの形成された面が外面となるようにする。
また、この例では、６０枚の精密ピッチ用平板２２ａは、６組の精密ピッチ用支柱２１ａにそれぞれ１０段ずつ積層され、６０枚の拡幅ピッチ用平板２２ｂも、６組の拡幅ピッチ支柱２１ｂにそれぞれ１０段ずつ積層される。そして、これら各繊維配列用平板２２ａ，２２ｂには、１０本ずつ凹条２３ａ，２３ｂが形成されているので、この例の繊維配列用装置１０を使用することによって、繊維１を最終的に１０列×１０段に積層することができる。
【００２２】
なお、図５においては、精密ピッチ用支柱２１ａに、精密ピッチ用平板２２ａと同形で凹条２３ａが形成されていないスペーサ３１を嵌めてから、精密ピッチ用平板２３ａを１０枚積層している。
【００２３】
これら繊維配列用平板２２ａ，２２ｂは、正確なサイズの凹条２３ａ，２３ｂが形成されているかぎり、その材質や製造方法には制限はない。例えば、精密ピッチ用平板２２ａとしては、耐食性、強度などの点から、ステンレスの平板にフォトエッチングで凹条を形成したものや、ポリメタクリル酸メチルなどの樹脂を、精密な金型を用いた精密射出成形法により成形したものなどが好ましく使用される。拡幅ピッチ用平板２２ｂとしては、精密ピッチ用平板２２ａと同様のものを好ましく使用できるほか、コスト、加工性などの点から、ステンレスやアルミニウムの平板を機械加工して、凹条２３ａ，２３ｂを形成したものも使用できる。
また、形成される凹条２３ａ，２３ｂの断面形状は図示例のような矩形に限定されず、凹条２１の底部が繊維１の外形に沿う曲面状に形成されたもの（Ｕ字状）、台形状、Ｖ字状などであってもよい。
【００２４】
また、図１の例の繊維配列用装置１０は、このような繊維巻取手段１１と繊維供給手段１２とを備え、さらに、繊維供給手段１２に供給される繊維１に対して張力を付与する張力付与手段２７を備えている。
この例の張力付与手段２７は、繊維供給用ボビン１４に連結されたトルクモータ２８と、ガイドローラ１５の下流側に設けられたテンショナ２９とを備え、これらにより、上述したように可動ガイド１６が移動しつつ繊維１を供給する場合において、繊維１が過度に緊張したり弛んだりしないように、繊維１に一定範囲の張力を常時付与できるようになっている。
【００２５】
以上説明したようにこの例の繊維配列用装置１０によれば、繊維１を１０列×１０段に正確に配列することができ、また、精密ピッチ用平板２２ａの積層物２５においては、繊維１は小さな配列ピッチで配列され、拡幅ピッチ用平板２２ｂの積層物２６においては、繊維１は精密ピッチ用平板２２ａの積層物２５よりも大きな配列ピッチで配列される。よって、このような繊維配列用装置１０を使用することによって、詳しくは後述するように、一端側が精密な配列ピッチで配列され、他端側がこれよりも拡幅された配列ピッチで配列された繊維配列体を２体得ることができる。
【００２６】
また、この例では、各繊維配列用平板２２ａ，２２ｂに形成されている凹条２３ａ，２３ｂは１０本とされ、このような繊維配列用平板２２ａ，２２ｂを１０段に積層することにより、繊維を１０列×１０段に配列可能となっているが、１枚の繊維配列用平板２２ａ，２２ｂに形成される凹条２３ａ，２３ｂの本数および積層段数は、それぞれ複数であれば制限はなく、所望に設定できる。好ましくは、各繊維配列用平板２２ａ，２２ｂに形成される凹条２３ａ，２３ｂの本数は ５〜１００本の範囲であり、このような繊維配列用平板２２ａ，２２ｂの積層段数は５〜１００段の範囲である。
また、各段に使用する繊維配列用平板２２ａ，２２ｂごとに、形成される凹条２３ａ，２３ｂの本数を異なるようにして、段ごとに配列される繊維１の本数を変えてもよい。
また、この例では、精密ピッチ用平板２２ａにおける位置決め貫通穴２４ａ同士のピッチはＤ３とされ、拡幅ピッチ用平板２２ｂにおける位置決め貫通穴２４ｂ同士のピッチはＤ４とされているが、Ｄ３＝Ｄ４としてもよい。その場合には、これに対応して支柱２１ａ、２１ｂのピッチについてもＤ１＝Ｄ２とする必要がある。
さらに、この例では、繊維巻取用ボビン１９は六角柱であるが、軸１９ａを中心として回転することにより、繊維１を巻き取れるものであれば、六角柱に限定されない。例えば３〜５または７以上の側面を有する角柱でもよいし、角柱でなくてもよい。しかしながら、特に４〜８の側面を有する角柱を使用すると、繊維配列用平板２２ａ，２２ｂをその周上に安定に配置、積層しつつ、繊維１を配列でき好ましい。
【００２７】
また、この例の繊維配列用装置１０が備えている繊維配列用平板２２ａ，２２ｂは、平板に凹条２３ａ，２３ｂが形成され、凹条２３ａ，２３ｂに繊維１を配列させることにより、繊維１を所定位置に正確に配列させるものであり、好適に使用されるが、必ずしも凹条２３ａ，２３ｂが形成されたものでなくてもよい。例えば、繊維巻取用ボビン１９の周上に配置された際に外面となる面に粘着層や接着層が形成されて、繊維１が固定される形態のものであってもよい。粘着層や接着層を形成するためには、平板の外面となる面上に粘着剤や接着剤を塗布する方法、平板の外面となる面上に市販の両面テープを貼着する方法などが挙げられ、粘着剤、接着剤、両面テープとしては、繊維１を侵さない材料からなるものを使用する。繊維１を侵す材料のものを使用すると、繊維１を配列している最中に、繊維１が切れてしまう可能性がある。接着剤としては、水溶性の酢酸ビニル系接着剤が好適である。
【００２８】
［繊維配列方法および繊維巻回物］
次に、図示例の繊維配列用装置１０を使用して、繊維１を１０列×１０段に配列させる具体的方法について説明する。
まず、繊維巻取用ボビン１９の全ての拡幅ピッチ用支柱２１ｂおよび精密ピッチ用支柱２１ａに、拡幅ピッチ用平板２２ｂまたは精密ピッチ用平板２２ａの位置決め用貫通穴２４ａ，２４ｂを嵌め、１枚ずつ配置する第１工程を行う。この時点で繊維巻取用ボビン１９の周上には、６枚ずつ合計１２枚の拡幅ピッチ用平板２２ｂおよび精密ピッチ用平板２２ａが、配置された状態となる。なお、精密ピッチ用支柱２１ａには、精密ピッチ用平板２２ａを配置する前に、必要に応じてスペーサ３１を配置する。
【００２９】
ついで、この繊維巻取用ボビン１９を所定回数回転させるとともに、制御手段により可動ガイド１６を動かして、配置された繊維配列用平板２２ａ，２２ｂ上に繊維１を配列していく第２工程を行う。
すなわち、まず、繊維巻取用ボビン１９を１回転させることにより、第１工程において配置された各繊維配列用平板２２ａ，２２ｂの一側端の凹条２３ａ，２３ｂに、可動ガイド１６から供給された繊維１を順次挿入していく。ここで、拡幅ピッチ用平板２２ｂの一側端の凹条２３ｂと、精密ピッチ用平板２２ａの一側端の凹条２３ａ，２３ｂとは、同一周上にはないので、適宜可動ガイド１６をＸ軸方向に移動させつつ繊維１を供給する。
こうして１回転させた後、隣の凹条２３ａ，２３ｂへと繊維１を挿入していくために、可動ガイド１６をＸ軸方向に移動させるとともに、引き続き繊維巻取用ボビン１９を回転させる。
この例の繊維配列用平板２２ａ，２２ｂには、１枚につき１０本の凹条２３ａ，２３ｂが形成されているので、繊維巻取用ボビン１９を１０回転させることにより、他側端の凹条２３ａ，２３ｂにまで繊維１を順次配列でき、配置された繊維配列用平板２２ａ，２２ｂにおけるすべての凹条２３ａ，２３ｂに繊維１を配列することができる。
なお、こうして配列される繊維１には、張力付与手段２７により１〜２０ｍＮ、好ましくは５〜１０ｍＮの張力を付与することが好ましい。
また、可動ガイド１６の先端と、繊維巻取用ボビン１９との距離はできるだけ短いことが正確な配列の点から好ましく、可動ガイド１６の先端と、この可動ガイド１６からの繊維１が配列されている繊維配列用平板２２ａ，２２ｂの凹条２３ａ，２３ｂとの最短距離（クリアランス）は常時０．１〜２ｍｍの範囲とすることがより好ましい。
【００３０】
こうして第２工程を終了した後、繊維１が配列された各繊維配列用平板２２ａ，２２ｂ上に、他の繊維配列用平板２２ａ，２２ｂをそれぞれ１枚ずつ積層していく第３工程を行う。
すなわち、第１工程の場合と同様に、繊維巻取用ボビン１９の全ての拡幅ピッチ用支柱２１ｂおよび精密ピッチ用支柱２１ａに、拡幅ピッチ用平板２２ｂまたは精密ピッチ用平板２２ａの位置決め用貫通穴２４ａ，２４ｂを嵌めて、支柱２１ａ，２１ｂの各組に対して繊維配列用平板２２ａ，２２ｂを１枚ずつ積層する。この時点で繊維巻取用ボビン１９の周上には、合計２４枚の繊維配列用平板２２ａ，２２ｂが配置された状態となる。
【００３１】
こうして第３工程が終了した後、再び、この繊維巻取用ボビン１９を回転させるとともに、可動ガイド１６をＺ軸方向（上方）にも動かして、これら新たに配置された繊維配列用平板１９の凹条２３ａ，２３ｂに順次繊維１を配列させる第２工程を行う。そして、さらに、第３工程を行う。
【００３２】
以上のようにして第２工程と第３工程を所定の回数繰り返し、繊維配列用平板２２ａ，２２ｂを各組の支柱２１ａ，２１ｂに対して最終的に１０枚積層し、最上段の繊維配列用平板２２ａ，２２ｂのすべての凹条２３ａ，２３ｂに繊維１を配列することにより、繊維を１０列×１０段に配列させることができる。なお、１０段目、すなわち最上段の繊維配列用平板２２ａ，２２ｂに繊維を配列してから、その上に他の繊維配列用平板２２ａ，２２ｂを載置、積層する際（第３工程）に限っては、省略してもよいし、繊維配列用平板２２ａ，２２ｂを載置する代わりに、凹条２３ａ，２３ｂが形成されていない以外は繊維配列用平板２２ａ，２２ｂと同形同サイズの押さえ板を載置して、最上段の繊維１が凹条から飛び出さないようにしてもよい。
【００３３】
このように繊維を１０列×１０段に配列させることによって、図６に示すような、繊維巻取用ボビン１９とその周上の複数（この例では１２箇所）の所定位置にそれぞれ２枚以上積層された繊維配列用平板２２ａ，２２ｂからなる積層物２５，２６とを備えた繊維巻取手段を有するとともに、各繊維配列用平板２２ａ，２２ｂの外面上に配列、巻回された繊維１とを有する繊維巻回物３０を得ることができる。また、特にこの例の繊維巻回物３０は、合計１２の積層物２５，２６を有しているが、精密ピッチ用平板２２ａからなる６つの積層物２５と、拡幅ピッチ用平板２２ｂからなる６つの積層物２６とでは、これらを構成する繊維配列用平板２２ａ，２２ｂの外面上に配列される繊維１の配列ピッチが異なり、１つの繊維巻回物３０中に、繊維１が２種の配列ピッチで配列された状態となっている。
【００３４】
［繊維配列体の製造方法］
次に、上述した方法で得られた図６の繊維巻回物３０から、図７に示すような繊維配列体３２を２体製造する一方法について説明する。
この繊維配列体３２は、１０列×１０段に配列した繊維１のうち、精密ピッチ用平板２２ａで精密に配列された部分（精密ピッチ用平板２２ａからなる積層物２５同士の間に位置する部分）が、その配列状態を維持したまま硬化性樹脂３３でブロック状に固定され、一方、拡幅ピッチ用平板２２ｂで配列された部分が、拡幅ピッチ用平板２２ｂからなる積層物２６によりその配列状態が維持されたものである。詳しくは後述するが、この繊維配列体３２の硬化性樹脂３３で固定された部分を、繊維１と交差する方向、好ましくは繊維１に略垂直な方向にスライスし、薄片化することによって、図８のような生体関連物質固定化マイクロアレイ３５が得られる。なお、図７中、符号３４は、枠部材であり、拡幅ピッチ用平板２２ｂからなる積層物２６がくずれないように嵌められたものである。
【００３５】
このような繊維配列体３２を図６の繊維巻回物３０から製造する方法としては、精密ピッチ用平板２２ａからなる積層物２５同士の間に渡された１０列×１０段の繊維１を囲むためのポッティングブロックを使用する方法がある。
ポッティングブロックとしては、例えばアルミニウムなどの金属からなり、図９に示すように４片の板状のブロック片３６ａ，３６ｂ，３６ｃ，３６ｄを図示のように組み合わせることにより筒状となるものが好ましく使用できる。また、これら４片を組み合わせて筒状とした時に、内壁面となる面と、ブロック片同士が接触する面には、非接着性の高いテフロン（登録商標）、ポリエチレン、ポリプロピレンなどからなるシート状物３７を各面に貼着するなどして、離型処理することが好ましい。このように離型処理がなされていると、後にポッティングブロック３６の中空部３６ｅに硬化性樹脂液を流し込み、これを硬化させた後に、ポッティングブロック３６と硬化した樹脂とを容易に剥離することができる。また、金属からなるブロック片３６ａ，３６ｂ，３６ｃ，３６ｄにこのように離型処理する代わりに、ポッティングブロック自体を非接着性の高い樹脂から形成してもよい。
【００３６】
また、筒状のポッティングブロック３６の内壁面のうちの一面には、この例のように一端に向けて拡径する半円錐状の切り欠き３８が形成され、後述するようにして硬化性樹脂液をポッティングブロック３６の中空部３６ｅに流し込み、充填する際の充填口とされていることが好ましい。
【００３７】
このようなポッティングブロック３６で、図１０に示すように、精密ピッチ用平板２２ａからなる積層物２５同士の間の繊維１を囲むように、かつ、ポッティングブロック３６において充填口が形成されていない側の一端が、一方の精密ピッチ用平板２２ａの積層物２５に密着するように固定する。また、その際には、ポッティングブロック３６と積層物２５との密着部分から、後に充填される硬化性樹脂液が洩れないように、剥離性と弾力性を備えたシリコーンゴムなどからなるシール部材を介在させる。
その後、充填口が形成されている側の一端（開口端）が上方となるようにして、ポッティングブロック３６に形成された充填口から、ポッティングブロック３６の中空部３６ｅ内へ硬化性樹脂液を流し込む。その後、所定温度で所定時間放置して、流し込まれた硬化性樹脂液を硬化させる。
【００３８】
なお、このように硬化性樹脂液を充填する際には、あらかじめ硬化性樹脂液を真空下において撹拌し、脱泡しておくことが好ましい。このように脱泡しておくと、硬化後の樹脂の内部には空隙がなく、繊維１間にも十分に樹脂が行き渡った状態となる。さらに好ましくは、このように硬化性樹脂液を十分に脱泡しておくとともに、上述の樹脂充填作業を減圧下で行うことが好ましい。
【００３９】
ポッティングブロック３６内に充填した硬化性樹脂液が硬化した後、ポッティングブロック３６を４片のブロック片３６ａ，３６ｂ，３６ｃ，３６ｄに分解することにより、精密に１０列×１０段に配列された繊維を樹脂でブロック状に固定することができる。
【００４０】
また、以上説明した方法と同様にして、この繊維巻回物３０における他の精密ピッチ用平板２２ａからなる積層物２５同士の間の繊維１も硬化性樹脂３３で固定し、図１１に示す状態とする。
その後、この繊維巻回物３０における１０列×１０段の繊維１を適宜切開するとともに、すべての精密ピッチ用平板２２ａを取り外し、さらに、拡幅ピッチ用平板２２ｂも、図１１中符号２６ａで示される２つの積層物を残す以外はすべて取り外すことにより、図７の状態の繊維配列体３２を２体、得ることができる。
【００４１】
なお、ここで使用される硬化性樹脂３３の種類としては、硬化性樹脂液が常温において低粘度の液状であり、ポッティングブロック３６の中空部３６ｅへの充填および硬化を常温で行え、硬化した後に刃物などで容易に一定の厚さに薄片化でき、さらに、得られた薄片が欠けたり割れたりしない適度の硬度と弾力性を有するものが好ましい。このような硬化性樹脂３３としては、例えばウレタン樹脂などの２液反応硬化性樹脂が挙げられる。
【００４２】
（繊維）
以上のようにして配列され、さらには固定される繊維１の種類としては特に制限はなく、合成繊維、半合成繊維、再生繊維、無機繊維などの化学繊維や、天然繊維、およびこれらの複合繊維等が挙げられる。
合成繊維としては、ナイロン６、ナイロン６６、芳香族ポリアミドなどのポリアミド系の各種繊維、ポリエチレンテレフタレート、ポリブチレンテレフタレート、ポリ乳酸、ポリグリコール酸などのポリエステル系の各種繊維、ポリアクリロニトリルなどのアクリル系の各種繊維、ポリエチレンやポリプロピレンなどのポリオレフィン系の各種繊維、ポリビニルアルコール系の各種繊維、ポリ塩化ビニリデン系の各種繊維、ポリ塩化ビニル系繊維、ポリウレタン系の各種繊維；フェノール系繊維、ポリフッ化ビニリデンやポリテトラフルオロエチレンなどからなるフッ素系繊維、ポリアルキレンパラオキシベンゾエート系繊維、ポリメチルメタクリレートなどの（メタ）アクリル系樹脂を用いた繊維、ポリカーボネート系樹脂を用いた繊維などが挙げられる。
【００４３】
半合成繊維としては、ジアセテート、トリアセテート、キチン、キトサンなどを原料としたセルロース系誘導体系各種繊維、プロミックスと呼称される蛋白質系の各種繊維などが挙げられる。
再生繊維としては、ビスコース法や銅−アンモニア法、あるいは有機溶剤法により得られるセルロース系の各種再生繊維（レーヨン、キュプラ、ポリノジック）などが挙げられる。
無機繊維としては、ガラス繊維、炭素繊維、Ａｕ、Ａｇ、Ｃｕ、Ａｌなどの金属繊維などが挙げられる。
天然繊維としては、綿、亜麻、苧麻、黄麻などの植物繊維、羊毛、絹などの動物繊維、石綿などの鉱物繊維などが挙げられる。
【００４４】
繊維配列体３２の製造には、これら繊維１を適宜使用できるが、繊維１を配列する際には、上述したように繊維１に張力を付与するので、好ましくは、これらのなかでも弾性率および降伏強度の高いポリカーボネート系繊維、ポリエステル系繊維、ナイロン系繊維、芳香族ポリアミド繊維などが好ましく用いられる。
また、天然繊維以外の繊維は、溶融紡糸法、湿式紡糸法、乾式紡糸法などの公知の紡糸技術や、これらを組み合わせた技術により得られ、このようにして得られたものをいずれも使用できる。
さらに、これら繊維１は、無処理のものをそのまま用いてもよいが、必要に応じて、反応性官能基を導入したものを使用してもよいし、プラズマ処理やγ線、電子線などの放射線処理を施したものを使用してもよい。
【００４５】
また、これらの繊維１の形態には特に制限はなく、モノフィラメントであってもよく、マルチフィラメントであってもよい。さらに、短繊維を紡績した紡績糸でもよい。また、中空繊維、多孔質構造の繊維などでも良い。中空繊維は、特殊なノズルを用いた公知の方法などで製造することができる。
【００４６】
また、繊維１の外径にも特に制限はなく、所望の外径のものを使用できるが、外径が小さすぎると破断しやすくなるなど、取扱性が低下する。一方、繊維１の外径が小さいほど、繊維１を高密度に配列させることが可能となる。よって、繊維１の外径は取扱性と所望の配列密度との兼ね合いにより設定するが、繊維１の外径は５００μｍ以下が好ましく、より好ましくは３００〜１００μｍである。繊維１としてマルチフィラメントを使用する場合には、８３ｄｔｅｘ／３６フィラメントや８２ｄｔｅｘ／４５フィラメントなどをそのまま用いることもできる。
【００４７】
例えば、繊維配列体３２から生体関連物質固定化マイクロアレイ３５を製造する際に、繊維１として外径１５０μｍのモノフィラメントを使用し、これを２００μｍの配列ピッチで配列した場合、１ｃｍ２の正方形内に配列可能な繊維１の本数は２４００本である。したがって、１本の繊維に１種類の生体関連物質を固定化することにより、１ｃｍ２あたり２４００種類の生体関連物質を固定化することができる。また、外径が２００μｍ程度の多孔質繊維、中空繊維または多孔質中空繊維のモノフィラメントを２００μｍの配列ピッチで配列した場合、１ｃｍ２あたり約１０００本の繊維１が配列された繊維配列体３２を得ることができ、１本の繊維１に１種類の生体関連物質を固定化することにより、１ｃｍ２あたり１０００種類の生体関連物質を固定化することができる。
【００４８】
［生体関連物質固定化マイクロアレイの製造方法］
次に、上述したようにして得られた繊維配列体３２から、生体関連物質固定化マイクロアレイ３５を製造する方法について説明する。
ここで繊維１として、あらかじめ生体関連物質が固定化されたものを用いた場合には、この繊維配列体３２を、繊維１と交差する方向にスライスして、薄片化することにより、図８に示す、生体関連物質が固定化された繊維１が硬化性樹脂３３により固定され、繊維１の断面が両面に露出した薄片状の生体関連物質固定化マイクロアレイ３５を得ることができる。スライスの手段は適宜選択され、ミクロトーム、レーザー等が使用される。スライスの方向は、繊維１と交差する方向であればよいが、好ましくは繊維１の長さ方向に対して垂直方向である。
繊維１に固定化された生体関連物質が、例えば、核酸である場合、得られた生体関連物質固定化マイクロアレイ１００を検体と反応させてハイブリダイゼーションを行うことにより、繊維に固定化された核酸をプローブとして検体中に存在する特定のポリヌクレオチドを検出することができる。
【００４９】
なお、繊維１として、マルチフィラメントや紡績糸などを用いる場合には、単繊維間の空隙に生体関連物質を固定することができ、繊維１として中空、多孔質繊維を用いる場合には、繊維１内の中空部や空隙に生体関連物質を固定することができる。
【００５０】
一方、繊維１として、生体関連物質が固定化されていない多孔質繊維、中空繊維、多孔質中空繊維を用いた場合には、図１２に示すように、生体関連物質を含む液体が各区画に入れられたウエルプレート３９を用意し、各区画に、図７の繊維配列体３２における拡幅ピッチ用平板２２ｂの積層物２６と枠部材３４により配列状態が維持された側の各繊維１の端部を、１本ずつ浸す。ついで、繊維１の他端を減圧状態として、液体を吸引することによって、各繊維１の中空部や多孔質部に生体関連物質を含む液体がそれぞれ吸い上げられ、各繊維１内に生体関連物質を導入することができる。ウエルプレート３９としては、市販のものを使用することができる。
そしてこの際、拡幅ピッチ用平板２２ｂにおける繊維１の配列ピッチと、ウエルプレート３９における各区画のピッチとをあらかじめ同じにしておくと、容易に各繊維の端部を１本ずつ各区画に浸すことができる。
なお、各繊維１に導入される生体関連物質の種類は、１０列×１０段の繊維１に対して全て異なっていてもよいし、一部同じ種類としてもよく、適宜設定できる。全て異なる場合には、１００種類の生体関連物質が固定された生体関連物質固定化チップ３５を得ることができる。
【００５１】
このように繊維１内に導入される生体関連物質としては、
（１）核酸、アミノ酸、糖又は脂質、
（２）前記（１）の物質のうち少なくとも１種類の成分からなる重合物、
（３）前記（１）または（２）の物質と相互作用を有する物質、が挙げられる。
生体関連物質として核酸を用いる場合、生細胞からのＤＮＡまたはＲＮＡの調製は、公知の方法により行えばよい。例えばＤＮＡの抽出については、Ｂｌｉｎらの方法（Ｂｌｉｎ  ｅｔ  ａｌ．，  Ｎｕｃｌｅｉｃ  Ａｃｉｄｓ  Ｒｅｓ．  ３：  ２３０３（（１９７６））などにより、また、ＲＮＡの抽出については、Ｆａｖａｌｏｒｏらの方法（Ｆａｖａｌｏｒｏ  ｅｔ  ａｌ．，  Ｍｅｔｈｏｄｓ  Ｅｎｚｙｍｏｌ．６５：７１８（１９８０））などにより行うことができる。
さらに、鎖状若しくは環状のプラスミドＤＮＡや染色体ＤＮＡ、これらを制限酵素を使用して切断、または化学的に切断したＤＮＡ断片、試験管内で酵素などにより合成されたＤＮＡ、または化学合成したＤＮＡなどを用いることもできる。
【００５２】
また、これら生体関連物質を含む液体として、例えば、アクリルアミド水溶液を使用し、上述のようにして繊維の中空部、多孔質部などに吸引した後、その後５０〜６０℃に加熱することによって、生体関連物質を支持するゲルを中空部、多孔質部に固定することができる。
【００５３】
以上説明したように、繊維１を３次元配列させる際に、繊維配列用装置１０として、繊維を巻き取る繊維巻取手段１１と、繊維巻取手段１１に対して繊維１を供給する繊維供給手段１２とを具備し、繊維供給手段１２は、繊維巻取手段１１に対して相対移動しながら繊維を供給する可動ガイド１６を備え、繊維巻取手段１１は、軸１９ａを中心として回転しながら周上に繊維１を巻き取る繊維巻取用ボビン１９と、この繊維巻取用ボビン１９の周上の複数の所定位置にそれぞれ複数積層され、各外面上に繊維１が配列される繊維配列用平板２２ａ，２２ｂとを有したものを使用することによって、繊維１を高密度、高精度で、短時間に非常に効率よく配列することができ、繊維配列体３２を工業的に大量生産することも可能となる。すなわち、このような繊維配列用装置１０を使用すると、従来のように、治具に形成された孔に繊維を１本ずつ挿入して貫通させるなどの手間がかからない。また、挿入する繊維をピンセットなどで孔まで導く必要がないので、既に挿入されている隣接した孔の繊維が、ピンセットなどによる繊維挿入作業の邪魔になるなどの問題も発生しない。また、繊維１を孔に挿入するのではなく凹条２１に配列する作業であるため、繊維外径が細く剛性が低いものであっても、容易に配列でき、繊維１の高密度化が可能となる。
【００５４】
すなわち、以上説明した繊維配列用装置１０を使用することによって、たとえ繊維外径が小さく取扱いにくい繊維１であっても、高密度で正確に、しかも短時間で効率的に配列でき、繊維配列体３２を大量生産でき、その結果、多種の試料を分析可能な生体関連物質固定化マイクロアレイ３５をも大量生産することができる。
【００５５】
また、特に、繊維配列用平板２２ａ，２２ｂとして、その外面に、繊維１が１本ずつ配列されるための複数の凹条２３ａ，２３ｂが互いに略平行に形成されているとともに、凹条２３ａ，２３ｂが繊維巻取用ボビン１９の軸１９ａに対して垂直となるように繊維巻取用ボビン１９の周上に積層されるものを使用することによって、より正確、確実に繊維１を配列することができる。
さらに、繊維配列用平板２２ａ，２２ｂとして、精密ピッチ用平板２２ａと拡幅ピッチ用平板２２ｂとを使用することなどにより、一端側が精密な配列ピッチで配列され、他端側がこれよりも拡幅された配列ピッチで配列された繊維配列体３２を容易に得ることができる。このような繊維配列体３２を使用すると、上述したようにウエルプレート３９を使用して各繊維１に容易に生体関連物質を導入することも可能となる。
【００５６】
【実施例】
以下、実施例を挙げて本発明を具体的に説明する。
＜実施例１＞
繊維配列用平板として図４（ｂ）の拡幅ピッチ用平板２２ｂを一切備えず、図４（ａ）の精密ピッチ用平板２２ａのみを合計１２０枚備えた点、繊維巻取用ボビンとして、精密ピッチ用支柱２１ａのみが１２組（２４本）立てられた点の２点以外は、図１と同じ構成の繊維配列用装置１０を用いて、直径０．３ｍｍのポリカーボネイト製中空繊維を１０列×１０段に配列させた繊維巻回物を得た。
なお、ノズル状の可動ガイド１６のＸ軸方向の移動速度は１２０００ｍｍ／ｍｉｎ．とし、移動ピッチは精密ピッチ用平板２２ａにおける凹条２３ａのピッチと同じ０．４２ｍｍとした。また、こうして配列される中空繊維には、張力付与手段により５ｍＮの張力を付与した。また、可動ガイド１６の先端と、この可動ガイド１６からの繊維１が配列されている精密ピッチ用平板２２ａの凹条との最短距離（クリアランス）は常時０．５ｍｍとなるように設定した。また、繊維巻取用ボビン１９の回転速度は１０ｒｐｍとした。また、ノズル状の可動ガイド１６の内径、外径、長さは、それぞれ０．４ｍｍ、０．７ｍｍ、１２ｍｍとした。
その結果、約１時間の作業時間で、１０列×１０段に正確に繊維１が配列された繊維巻回物を得ることができた。
【００５７】
＜実施例２＞
図１の繊維配列用装置１０を用いて、直径０．３ｍｍのポリカーボネイト製中空繊維を１０列×１０段に配列させた図６に示すような繊維巻回物３０を得た。
なお、ノズル状の可動ガイド１６のＸ軸方向の移動速度は１２０００ｍｍ／ｍｉｎ．とし、移動ピッチは、精密ピッチ用平板２２ａに対しては精密ピッチ用平板２２ａにおける凹条２３ａのピッチと同じ０．４２ｍｍとし、拡幅ピッチ用平板２２ｂに対しては、拡幅ピッチ用平板２２ｂにおける凹条２３ｂのピッチと同じ４．５ｍｍとした。また、こうして配列される中空繊維には、張力付与手段により５ｍＮの張力を付与した。また、可動ガイド１６の先端と、この可動ガイド１６からの繊維が配列されている繊維配列用平板２２ａ，２２ｂの凹条２３ａ，２３ｂとの最短距離（クリアランス）は常時０．５ｍｍとなるように設定した。また、繊維巻取用ボビン１９の回転速度は１０ｒｐｍとした。
その結果、約１時間の作業時間で、１０列×１０段であって、１つの繊維巻回物３０中に、繊維１が２種の配列ピッチで配列された繊維巻回物３０を得ることができた。
【００５８】
＜実施例３＞
実施例２で得られた繊維巻回物３０における、精密ピッチ用平板２２ａの積層物２５同士で挟まれた部分２カ所に、図９のようなポッティングブロック３６を配置して、中空部内に、図１０に示すようにして、ポリウレタンエラストマー（コロネート４４０３／ニッポラン４２７６、コロネート６：ニッポラン４の割合で混合）の液を流し込み、硬化させ、図１１の状態とした。その後、繊維１の切開、繊維配列用平板２２ａ，２２ｂの取り外しなどを適宜行い、１つの繊維巻回物３０から、図７に示すような正確に繊維１が配列された、２個のブロック状の繊維配列体３２を作成した。作業時間は、樹脂液を流し込む前までに約１時間を要した。
【００５９】
＜実施例４＞
張力付与手段２７のトルクモータ２８を作動させず、また、上記クリアランスを３ｍｍとした以外は実施例１と同様にして繊維１を配列させ、図６のような繊維巻回物３０を得た。
【００６０】
＜実施例５＞
張力付与手段２７のテンショナ２９を介さずに繊維１を供給した以外は実施例１と同様にして繊維１を配列させ、図６のような繊維巻回物３０を得た。
【００６１】
＜実施例６＞
クリアランスを１０ｍｍに設定した以外は実施例１と同様にして繊維１を配列させ、図６のような繊維巻回物３０を得た。
【００６２】
＜実施例７＞
精密ピッチ用平板として、凹条が形成されている代わりに、酢酸ビニル系接着剤からなる接着層が形成されたものを使用した以外は、実施例１と同様にして繊維１を配列させ、図６のような繊維巻回物３０を得た。その後、実施例３と同様にして繊維１を樹脂固定し、２個のブロック状の中空繊維配列体を作成した。
【００６３】
以上各実施例によれば、繊維を短時間で正確に配列することができ、特に実施例１〜３によれば、特に正確な繊維の配列が可能であった。また、実施例３では、そのような状態を維持したまま繊維が固定された良好な繊維配列体が得られた。
一方、実施例４、６では、繊維の配列状態が実施例１〜３よりは劣った。また、実施例５では、可動ガイド１６の移動時に、繊維に対して大きなストレスがかかる傾向があった。
【００６４】
＜比較例１＞
繊維配列用治具として、フォトエッチング法で作成した径０．３２ｍｍの孔が０．４２ｍｍピッチで縦横各７列に合計４９個配列された、厚さ０．１ｍｍのステンレス製多孔板２枚を用い、その多孔板の全ての孔に、ポリカーボネイト製中空糸（外径０．３ｍｍ×長さ１ｍ）４９本をそれぞれ挿通し、２枚の多孔板の間隔を５０ｍｍに設定した。
ついで、こうして配列された２枚の多孔板の間の中空糸をポッティング治具内に配置し、実施例３で使用したものと同じポリウレタンエラストマー（コロネート４４０３／ニッポラン４２７６）を、ポッティング治具と多孔板で囲まれた空間に流し込むことによって、縦、横、高さが２０ｍｍ×２０ｍｍ×５０ｍｍのブロック状の中空糸配列体を形成できた。作業時間は、樹脂液を流し込む前までに約６時間もかかった。
【００６５】
【発明の効果】
以上説明したように本発明の繊維配列用装置を使用することによって、非常に短時間で繊維を正確に高密度で配列することができる。また、従来のように治具の孔に繊維を挿入することにより配列する方法に比べて、本発明によれば、繊維の配列間違えを防止することもできる。
よって、本発明によれば、生体関連物質が固定化した繊維の繊維配列体を効率的に製造し、これを繊維と交差する方向にスライスして、薄片化することにより、検体中の特定の生体関連物質の種類および量を検出可能な生体関連物質固定化マイクロアレイを容易に大量生産できる。
【図面の簡単な説明】
【図１】本発明の繊維配列用装置の一例を示す斜視図である。
【図２】図１の繊維配列用装置の備える可動ガイドを拡大した斜視図である。
【図３】図１の繊維配列用装置の備える繊維巻取用ボビンの（ａ）斜視図と、（ｂ）正面図である。
【図４】図１の繊維配列用装置の備える（ａ）精密ピッチ用平板と（ｂ）拡幅ピッチ用平板の斜視図である。
【図５】図３の繊維巻取用ボビンの周上の所定位置に、図４の繊維配列用平板を配置、積層した状態を示す正面図である。
【図６】本発明の繊維巻回物の一例を示す正面図である。
【図７】本発明で製造される繊維配列体の一例を示す斜視図である。
【図８】本発明で製造される生体関連物質固定化マイクロアレイの一例を示す斜視図である。
【図９】本発明で使用されるポッティングブロックの一例を示す斜視図である。
【図１０】本発明の繊維配列体の製造方法を説明する説明図である。
【図１１】本発明の繊維配列体の製造方法を説明する説明図である。
【図１２】繊維配列体の各繊維に生体関連物質を導入する一方法を示す斜視図である。
【符号の説明】
１      繊維
１０    繊維配列用装置
１１    繊維巻取手段
１２    繊維供給手段
１６    可動ガイド
１９    繊維巻取用ボビン
１９ａ  繊維巻取用ボビンの軸
２１ａ  精密ピッチ用支柱
２１ｂ  拡幅ピッチ用支柱
２２ａ  精密ピッチ用平板（繊維配列用平板）
２２ｂ  拡幅ピッチ用平板（繊維配列用平板）
２３ａ，２３ｂ  凹条
２４ａ，２４ｂ  位置決め用貫通穴
２５，２６  積層物
３０    繊維巻回物
３２    繊維配列体
３５    生体関連物質固定化マイクロアレイ
【図１】
2004286667.tif 000003
【図２】
2004286667.tif 000004
【図３】
2004286667.tif 000005
【図４】
2004286667.tif 000006
【図５】
2004286667.tif 000007
【図６】
2004286667.tif 000008
【図７】
2004286667.tif 000009
【図８】
2004286667.tif 000010
【図９】
2004286667.tif 000011
【図１０】
2004286667.tif 000012
【図１１】
2004286667.tif 000013
【図１２】
2004286667.tif 000014